(57)【特許請求の範囲】
【請求項１】
保冷部材により形成され、ペットボトルの周側および底面を覆う如く有底筒形をなす内ケースと、
該内ケースを被覆する如く有底筒形をなす外ケース本体の上部開口部に、前記ペットボトルのキャップ部を表出するように首部の形状に沿って覆う所定形状を維持する可撓性を有する保冷部材からなる被覆支持部が固定された外ケースと、
を備え、
前記外ケースには、前記被覆支持部の開口縁部から前記外ケース本体に渡って連続してスライドファスナーによる開閉手段によって開閉可能とした開放部が形成されるとともに、該開放部と対向する前記外ケースの被覆支持部の開口縁部には、左右方向に略Ｖ形に開くスリットが設けられたことを特徴とするペットボトル用ケース。
【請求項２】
前記内ケースは、複数の保冷部材にて多層構造をなし、且つ、その内の一層が硬質の樹脂材にて所定形状を維持する如く形成されていることを特徴とする請求項１に記載のペットボトル用ケース。
【請求項３】
前記内ケースの内底には、前記ペットボトルの底側を保持する滑り止め手段を有したことを特徴とする請求項１又は２に記載のペットボトル用ケース。
【発明の詳細な説明】
【０００１】
【発明の属する技術分野】
本発明は、ペットボトルに収容された飲料等を保冷するペットボトル用ケースに関するものである。
【０００２】
【従来の技術】
従来、ペットボトルに収容された飲料等を保冷・保温するためのペットボトル用ケース▲１▼としては、熱保冷性がよい軟質薄厚の樹脂（例えば発砲ウレタン樹脂）を、カバーで被覆保護し、ペットボトルの周側および底面を覆う如く有底筒形をなしている。また、筒形の内面（カバーの内面）には、保冷性を高めるためのアルミニウムシートが貼設されている。また、上部においては、ペットボトルを出し入れする開口部をなし、ペットボトルの首部の形状に沿うように紐などで締められる構造となっている。
【０００３】
また、その他のペットボトル用ケース▲２▼として、発泡スチロール材からなり、ペットボトルの周側および底面を覆うケース本体と、ペットボトルの首部を覆う蓋部とを有して、ペットボトル全体を収納する構造のものもある。
【０００４】
【発明が解決しようとする課題】
しかしながら、上述した従来のペットボトル用ケースでは、▲１▼の場合、薄厚の発砲ウレタン樹脂やアルミニウムシートによって保冷効果を得ようとしているため、保冷時間を長時間持続することが難しいという問題がある。
【０００５】
また、ペットボトルのキャップ部を開閉する際、ケースの外周を介してペットボトルをしっかり抑えておかないと、ペットボトル自体が回転してキャップ部の開閉が容易でないという問題がある。
【０００６】
また、▲２▼の場合、収容した飲料を飲む際、蓋部を開けてペットボトル自体を出さなければならず面倒である。また、ペットボトルの出し入れを繰り返すことにしによって保冷効果が低下してしまうという問題もある。
【０００７】
そこで本発明は、上記課題を解消するために、保冷時間の向上を図るとともに、使用勝手が良いペットボトル用ケースを提供することを目的としている。
【０００８】
【課題を解決するための手段】
上記目的を達成するため本発明による請求項１に記載のペットボトル用ケースは、保冷部材により形成され、ペットボトルの周側および底面を覆う如く有底筒形をなす内ケースと、該内ケースを被覆する如く有底筒形をなす外ケース本体の上部開口部に、前記ペットボトルのキャップ部を表出するように首部の形状に沿って覆う所定形状を維持する可撓性を有する保冷部材からなる被覆支持部が固定された外ケースと、を備えたことを特徴とする。
【０００９】
請求項２に記載のペットボトル用ケースは、請求項１に記載のペットボトル用ケースにおいて、前記内ケースは、複数の保冷部材にて多層構造をなし、且つ、その内の一層が硬質の樹脂材にて所定形状を維持する如く形成されていることを特徴とする。
請求項３に記載のペットボトル用ケースは、前記内ケースの内底には、前記ペットボトルの底側を保持する滑り止め手段を有したことを特徴とする。
【００１０】
請求項１に記載のペットボトル用ケースは、上記の構成において、前記外ケースの被覆支持部は、前記ペットボトルの首部に沿う所定形状を維持するとともに可撓性を有する如く成形され、且つ、前記キャップ部を表出する開口縁部に、可撓性を許容するスリットが設けられていることを特徴とする。
【００１１】
さらに、請求項１に記載のペットボトル用ケースは、上記の構成において、前記外ケースには、前記被覆支持部の開口縁部から前記外ケース本体に渡って連続してスライドファスナーによる開閉手段によって開閉可能とした開放部が形成されるとともに、該開放部と対向する前記外ケースの被覆支持部の開口縁部には、左右方向に略Ｖ形に開くスリットが設けられたことを特徴とする。
【００１２】
【発明の実施の形態】
以下、本発明の実施の形態を図面を参照して具体的に説明する。
図１は本発明のペットボトル用ケースの実施の形態を示す斜視図、図２は同ペットボトル用ケースの側断面図、図３は同ペットボトル用ケースの平面図、図４は同ペットボトル用ケースの側面図である。
【００１３】
図１および図２に示すように、ペットボトル用ケースは、内ケース１と、外ケース２とで構成されている。
内ケース１は、保冷部材により形成されて、ペットボトルＰの周側および底面を覆う有底筒形をなしている。内ケース１をなす保冷部材は、複数の多層構造をなしている。本実施の形態では二層構造をなし、内側１ａが硬質の樹脂材（例えばポリプロピレン）からなり、外側１ｂが例えば発砲スチロール材からなる。即ち、内ケース１は、多層の内の一層が硬質の樹脂材にて所定形状を維持する如く形成されている。
【００１４】
また、内ケース１の内底には、図２に示すように、ペットボトルＰの底側を保持する滑り止め手段として、ペットボトルＰの底に形成された凹部Ｐ１に係合する係合凸部３が設けられている。この係合凸部３は、内ケース１の多層の内側１ａをなす硬質の樹脂材と一体に形成されている。また、係合凸部３は、弾性を有したゴム材などで構成し、内側１ａの内底に別体に取り付けてもよい。係合凸部３を弾性を有して構成した場合、ペットボトルＰの凹部Ｐ１の形状に多少の違いがあっても対応できる汎用性を備えることとなる。なお、滑り止め手段の他の例として、内ケース１の内底にゴムシート等の高摩擦部材を配してもよい。
【００１５】
このように形成された内ケース１は、上部の開口部分からペットボトルＰを挿通して収納する。
【００１６】
外ケース２は、前記内ケース１を被覆する如く有底筒形をなしている。外ケース２の上部開口部には、ペットボトルＰのキャップ部Ｃを表出するように、ペットボトルＰの首部Ｐ２の形状に沿って覆う保冷部材からなる被覆支持部４が設けられている。
【００１７】
被覆支持部４は、保冷部材として可撓性を有した断熱性の樹脂材（例えばポリエステル）が多層（例えば三層）構造とされ、熱成形によって所定形状を維持するように形成されている。この被覆支持部４は、外ケース２の本体２ａに対し、縫着あるいは溶着にて固定されている。そして、被覆支持部４は、図２に示すように、内ケース１に収納されたペットボトルＰをキャップ部Ｃから上側の部分を表出する開口を有し、この開口縁がペットボトルＰの首部Ｐ２に当接することにより内ケース１の内底との間でペットボトルＰを支持する。即ち、被覆支持部４の所定形状は、ペットボトルの首部Ｐ２を支持する形状である。
【００１８】
また、被覆支持部４の開口縁部には、図３に示すように、スリット５が設けられている。このスリット５は、種々のペットボトルＰを収納した際、その首部Ｐ２の様々な形状に合うように、被覆支持部４の撓みを許容する。したがって、被覆支持部４は、その可撓性とスリット５により、様々なペットボトルＰの形状に対応してペットボトルＰの首部Ｐ２に当接してこれを支持する。
【００１９】
また、外ケース２は、ペットボトルＰおよび内ケース１を出し入れする開閉手段６を有している。この開閉手段６は、外ケース２が、被覆支持部４の開口縁部から本体２ａに渡って、底側に向けて開放した開放部７が形成され、この開放部７を開閉可能とするものである。図１および図３で示す開閉手段６は、スライドファスナーとして構成され、スライダ６ａの摺動によって開放部７の開閉を行う。また、開閉手段６は、スライドファスナーに限らず、開放部７の開口縁を重ね構造とし、これを開閉する面ファスナーとして構成してもよい。このような開閉手段６により、外ケース２から容易にペットボトルＰを出し入れすることができ、内ケース１や外ケース２が汚れた際に容易に掃除を行うことができる。
【００２０】
また、外ケース２は、所望の部位に係止可能な係止手段８を有している。図４で示す係止手段８は、外ケース２の外側に固定される一本の帯体９を二つ折りにした折曲部９ａをループ状にしてナス環などのフック部材１０を取り付けている。さらに、帯体９の両端９ｂを雌雄面ファスナー１１にて係脱可能にしている。これにより、係止手段８は、フック部材１０による係止と、雌雄面ファスナー１１による係着によって形成されたループ部による係止が行えるので、所望とする様々な形状の部位への係止を可能としている。
【００２１】
したがって、このように構成されたペットボトル用ケースでは、ペットボトルＰの周側および底面を覆う内ケース１が保冷部材の多層構造とされ、且つ、保冷部材からなる被覆保持部４にてペットボトルＰの首部Ｐ２を覆うことにより、十分な保冷効果を得ることができ、保冷時間の向上を図ることが可能となる。
【００２２】
また被覆支持部４は、ペットボトルＰの首部Ｐ２の形状に沿うように可撓性を有して成形され、且つ、可撓性を許容するスリット５を有しているので、種々の形状のペットボトルＰを適宜支持して収容することが可能である。
【００２３】
また、内ケース１の内底にペットボトルＰの底面の凹部Ｐ１に係合する係合凸部３（あるいはゴムシート）を設け、ペットボトルＰの底側を保持することにより、ペットボトルＰをケースに収納したままの状態でキャップ部Ｃを容易に開閉することが可能となる。
【００２４】
【発明の効果】
以上説明したように本発明による請求項１に記載のペットボトル用ケースは、保冷部材からなる内ケースと外ケースとからなり、内ケースには、収納したペットボトルの底側を保持する滑り止め手段を設けた。これにより、内ケースによりペットボトルの周側と底側を保冷し、外ケースによりペットボトルの首部を保冷するため、保冷時間の向上を図ることができるとともに、滑り止め手段によるペットボトルの底側の保持によって、ペットボトルをケースに収納したままの状態で回り止めしてキャップ部を容易に開閉することができる。
【００２５】
請求項２に記載のペットボトル用ケースは、内ケースが複数の保冷部材にて多層構造をなし、且つ、その内の一層が硬質の樹脂材にて所定形状を維持する如く形成されている。これにより、十分な剛性を得るとともに、十分な保冷効果を得ることができ、保冷時間の向上を図ることができる。
【００２６】
請求項３に記載のペットボトル用ケースは、外ケースの被覆支持部が、ペットボトルの首部に沿う所定形状を維持して可撓性を有し、キャップ部を表出する開口縁部に、可撓性を許容するスリットを有している。これにより、種々の形状のペットボトルを適宜支持して収容することができる。
【００２７】
請求項４に記載のペットボトル用ケースは、外ケースが、ペットボトルおよび内ケースを出し入れする開閉手段を備えている。これにより、ペットボトルを容易に出し入れすることができ、且つ、内ケースや外ケースが汚れた際に容易に掃除を行うことができる。また、外ケースが、所望の部位に係止可能な係止手段を備えていることにより、所望とする様々な形状の部位への係止を可能として携帯性を向上することができる。
【図面の簡単な説明】
【図１】本発明のペットボトル用ケースの実施の形態を示す斜視図。
【図２】同ペットボトル用ケースの側断面図。
【図３】同ペットボトル用ケースの平面図。
【図４】同ペットボトル用ケースの側面図。
【符号の説明】
１…内ケース、２…外ケース、３…係合凸部（滑り止め手段）、４…被覆支持部、５…スリット、６…開閉手段、８…係止手段、Ｐ…ペットボトル、Ｐ２…首部、Ｃ…キャップ部。
【図１】
0004279436.tif 000002
【図２】
0004279436.tif 000003
【図３】
0004279436.tif 000004
【図４】
0004279436.tif 000005